(57)【要約】【課題】  充分な強度をもって構成部品同士を組み付けることができる大型家具を提供すること。【解決手段】  装着対象となる構成部品同士を相互にスライドさせることにより、これら両構成部品を組付け状態と分解状態との間で変位自在に連結する連結金具５と、この連結金具５により前記組付け状態で保持された両構成部品同士のスライドを規制するロック部材６とを備え、このロック部材６は、所定の操作で両構成部品同士のスライドを許容するように構成されている。【選択図】      図１
0003110454.tif 000002
【実用新案登録請求の範囲】
【請求項１】
複数の構成部品を有し、これら構成部品を着脱することにより、予め設定された組付け状態と、分解状態とをとり得るように構成された大型家具であって、
装着対象となる構成部品同士を相互にスライドさせることにより、これら両構成部品を前記組み付け状態と分解状態との間で変位自在に連結する連結金具と、
この連結金具により前記組付け状態で保持された両構成部品同士のスライドを規制するロック部材とを備え、
このロック部材は、所定の操作で両構成部品同士のスライドを許容するように構成されていることを特徴とする大型家具。
【請求項２】
前記連結金具は、前記スライド方向の一方向へ開く鉤部を有する雄側金具と、前記スライド方向に貫通して前記鉤部の先端部を受入る受入部が形成された雌側金具とを備えて対をなし、これら雄側金具と雌側金具とが、装着対象となる構成部品にそれぞれ装着されていることを特徴とする請求項１に記載の大型家具。
【請求項３】
前記ロック部材は、前記スライド方向に沿って延びる摺動溝が形成された雌側部材と、この摺動溝に沿って摺動自在な摺動突起を有する雄側部材とを備えて対をなし、これら雄側部材と雌側部材とが、装着対象となる構成部品にそれぞれ装着されていることを特徴とする請求項１又は２に記載の大型家具。
【請求項４】
前記摺動突起と摺動溝とは、前記雄側部材と雌側部材とがそれぞれ相手側の構成部品から離間する方向への相対変位するのを規制するように、互いに係合することを特徴とする請求項３に記載の大型家具。
【請求項５】
前記雄側部材、雌側部材の少なくとも一方には、前記組付け状態に対応する位置まで相互にスライドした状態で、相手側の部材に係合して逆方向へのスライドを規制する係合爪が形成され、この係合爪は、前記ロック部材を弾性変形させることにより、前記係合を解除する方向へ退避し得るように構成されていることを特徴とする請求項３又は４の何れか１項に記載の大型家具。
【考案の詳細な説明】
【技術分野】
【０００１】
本考案は、ベッドやソファ等に代表される大型家具に関するものである。
【背景技術】
【０００２】
一般に、ベッドやソファ等に代表される大型家具には、その構成部品を分解自在に構成することにより、搬送時の形態のコンパクト化を図るようにしたものがある。例えば、特開平１１−１５１１３３号公報に開示されるソファは、その座部と背もたれとの間で係脱する係合金具を備えており、この係合金具をスライドさせることによって、前記座部に対して背もたれが装着されるようになっている。
【０００３】
前記ソファでは、係合金具をスライドさせることにより座部と背もたれとを着脱できるので、当該ソファの分解作業が容易に行えるものの、使用時においては、不意な力が作用することにより、背もたれがスライドして座部から外れてしまうおそれがあった。
【０００４】
そこで、特開２００２−４５２５６号公報に開示されるソファのように、座部と背もたれとをスライド係合させた状態で両者の位置をロックする一方、所定の操作で前記ロックを解除するようにしたストッパを一体に有する連結具を設けることにより、使用時に背もたれが不意に外れてしまうことを抑制するようにしたものもある。
【考案の開示】
【考案が解決しようとする課題】
【０００５】
しかしながら、前記ソファのように、各構成部品を係脱する機構と、係合状態をロックする機構とを単一の部材で形成した場合には、当該部材の強度の低下を避けられず、構成部品同士の組み付け強度を充分に確保することが困難だった。
【０００６】
本考案は、前記課題に鑑みてなされたものであり、充分な強度をもって構成部品同士を組み付けることができる大型家具を提供することを目的としている。
【課題を解決するための手段】
【０００７】
前記課題を解決するために本考案は、複数の構成部品を有し、これら構成部品を着脱することにより、予め設定された組付け状態と、分解状態とをとり得るように構成された大型家具であって、装着対象となる構成部品同士を相互にスライドさせることにより、これら両構成部品を前記組み付け状態と分解状態との間で変位自在に連結する連結金具と、この連結金具により前記組付け状態で保持された両構成部品同士のスライドを規制するロック部材とを備え、このロック部材は、所定の操作で両構成部品同士のスライドを許容するように構成されているものである。
【０００８】
本考案によれば、構成部品同士を連結する機能と、これら構成部品のスライド位置を組付け状態で規制する機能とを連結金具とロック部材とに分離して持たせるようにしているので、双方の機能を単一の部材に持たせる場合に生じる設計的な制限を受けることなく、前記連結金具に充分な強度を持たせることができる結果、構成部品同士の連結を強固なものとすることができる。
【０００９】
前記連結金具の構成は特に限定されるものではないが、前記連結金具は、前記スライド方向の一方向へ開く鉤部を有する雄側金具と、前記スライド方向に貫通して前記鉤部の先端部を受入る受入部が形成された雌側金具とを備えて対をなし、これら雄側金具と雌側金具とが、装着対象となる構成部品にそれぞれ装着されていることが好ましい。
【００１０】
このようにすれば、受入部に対して鉤部を引掛けるように、各構成部品を相互にスライドさせるといった比較的簡単な操作で各構成部品を連結することができる。
【００１１】
また、前記ロック部材の構成も特に限定されるものではないが、前記ロック部材は、前記スライド方向に沿って延びる摺動溝が形成された雌側部材と、この摺動溝に沿って摺動自在な摺動突起を有する雄側部材とを備えて対をなし、これら雄側部材と雌側部材とが、装着対象となる構成部品にそれぞれ装着されていることが好ましい。
【００１２】
このようにすれば、摺動溝をガイドとして摺動突起を摺動させることにより、各構成部品を正規の姿勢（前記組付け状態）に向けてスライドさせることができるので、使用者が各構成部品の位置決め等に要する手間を軽減することができる。
【００１３】
このとき、前記摺動溝を単なるガイドとして利用するのではなく、前記摺動突起と摺動溝とは、前記雄側部材と雌側部材とがそれぞれ相手側の構成部品から離間する方向への相対変位するのを規制するように、互いに係合することが特に好ましい。
【００１４】
このようにすれば、前記摺動突起を摺動溝に一旦挿入すれば、その後は両構成部品が離間することなく、当該両構成部品をスライドさせることができるので、より使用者の手間を軽減することができる。
【００１５】
前記ロック部材による両構成部品を規制するための手段は特に限定されるものではないが、前記雄側部材、雌側部材の少なくとも一方には、前記組付け状態に対応する位置まで相互にスライドした状態で、相手側の部材に係合して逆方向へのスライドを規制する係合爪が形成され、この係合爪は、前記ロック部材を弾性変形させることにより、前記係合を解除する方向へ退避し得るように構成されていることが好ましい。
【００１６】
この構成によれば、前記雄側部材又は雌側部材の少なくとも一方に係合爪を設けるとともに、この係合爪が退避できるようにロック部材の強度を設定することにより、構成部品同士のロック又は解除を具現化することができるので、当該ロック部材を簡単な構成とすることができる。
【考案の効果】
【００１７】
本考案によれば、構成部品同士を連結する機能と、これら構成部品のスライド位置を組付け状態で規制する機能とを連結金具とロック部材とに分離して持たせるようにしているので、双方の機能を単一の部材に持たせる場合に生じる設計的な制限を受けることなく、前記連結金具に充分な強度を持たせることができる結果、構成部品同士の連結を強固なものとすることができる。
【考案を実施するための最良の形態】
【００１８】
以下、本発明の好ましい実施形態について図面を参照して説明する。
【００１９】
図１は、本発明の実施形態に係るソファの（ａ）は組付け状態を示す斜視図、（ｂ）は分解状態を示す斜視図である。
【００２０】
図１に示すように、ソファ１は、座部２、肘掛３及び、背もたれ４の構成部品を有し、これら構成部品を着脱することにより、予め設定された組付け状態（図１（ａ）の状態）と、分解状態（図１（ｂ）の状態）とをとり得るように構成されている。
【００２１】
また、ソファ１は、装着対象となる構成部品同士を相互にスライドさせることにより、これら両構成部品を前記組付け状態と分解状態との間で変位自在に連結する連結金具５と、この連結金具５により前記組付け状態で保持された両構成部品同士のスライドを規制するロック部材６とを備えている。
【００２２】
そして、前記ロック部材６は、後述する舌部１８（図４参照）を弾性変形させることにより、前記両構成部品同士のスライドを許容するように構成されている。
【００２３】
前記ソファ１では、構成部品同士を連結する機能と、これら構成部品のスライド位置を組付け状態で規制する機能とを連結金具５とロック部材６とに分離して持たせるようにしているので、双方の機能を単一の部材に持たせる場合に生じる設計的な制限を受けることなく、前記連結金具５に充分な強度を持たせることができる結果、構成部品同士の連結を強固なものとすることができる。
【００２４】
具体的に前記ソファ１は、座部２と、この座部２に対して着脱可能な一対の肘掛３及び背もたれ４と、これら各構成部品を前記組付け状態で保持する連結金具５及びロック部材６とを備えている。なお、前記座部２に対して背もたれ４の配設されている側を仮に後方とし、前記各肘掛３が対向する方向を仮に左右方向として、以下説明する。
【００２５】
前記座部２は、床面に設置される比較的剛性の高い基台２ａと、この基台２ａの上部に固着されたクッション体２ｂとを組み合わせて構成された略直方体の部材である。
【００２６】
前記肘掛３は、比較的剛性の高い箱状のフレーム体（図示せず）がクッション材によって被覆されたものである。
【００２７】
前記背もたれ４は、比較的剛性の高い背板４ａと、この背板４ａの上部前面に固着されたクッション体４ｂとを備え、このクッション体４ｂに被覆されていない前記背板４ａの下部前面と前記座部２の基台２ａの後面とが連結されるようになっている。
【００２８】
前記連結金具５は、後述する雄側金具７と雌側金具８とが対をなして構成されている。本実施形態では、前記基台２ａの前部左右両側面にそれぞれ雄側金具７ａが、前記各肘掛３のフレーム体の後面にそれぞれ雄側金具７ｂが装着されているとともに、前記各肘掛３のフレーム体の内側面にそれぞれ雌側金具８ａが、前記背板４ａの前面左右位置にそれぞれ雌側金具８ｂが装着され、前記雄側金具７ａと雌側金具８ａとが、前記雄側金具７ｂと雌側金具８ｂとがそれぞれ連結されるようになっている。なお、以下の説明では、雄側金具７ａ若しくは７ｂ、又は雌側金具７ａ若しくは７ｂを特に区別する必要の無い場合には、雄側金具７又は雌側金具８と総称する。
【００２９】
図２は、図１のソファ１に装着された雄側金具７を示す（ａ）は平面図、（ｂ）は側面図、（ｃ）は正面図である。図３は、図１のソファ１に装着された雌側金具８を示す（ａ）は平面図、（ｂ）は側面図、（ｃ）は正面図である。
【００３０】
図２を参照して、前記雄側金具７は、略長方形の装着板９と、この装着板９の中央下部から上方へ折り返されたクリップ部（鉤部）１０とを一体に有する金属板によって形成されている。
【００３１】
前記装着板９は、表裏に貫く孔９ａをその四隅に備え、これらの孔９ａにそれぞれ挿通されたタッピングねじ（図示せず）によって、前記構成部品に装着されるようになっている。
【００３２】
前記クリップ部１０は、上方へ開く鉤状に形成され、その先端部が後述する雌型金具８に下方から挿入されるとともに、その折返し底部１０ａによって雌型金具８の下方位置を規制するようになっている。
【００３３】
図３を参照して、前記雌側金具８は、一対の取付部１１と、これら取付部１１間の折返し凸部１２とが、略長方形の板を折り返すことにより一体に形成された部材である。
【００３４】
前記各取付部１１は、表裏に貫く孔１１ａをそれぞれ上下二箇所に備え、これら孔１１ａにそれぞれ挿通されたタッピングねじ（図示せず）によって、前記構成部品に装着されるようになっている。
【００３５】
前記折返し凸部１２は、その裏面と前記構成部品との間で上下方向に延びる受入孔（受入部）１２ａを区画して、この受入孔１２ａ内に前記クリップ部１０を受入るようになっている。
【００３６】
再び図１を参照して、前記ロック部材６は、後述する雄側部材１３と雌側部材１４とが対をなして構成されている。本実施形態では、前記各肘掛３のフレーム体の内側面前後位置にそれぞれ雄側部材１３ａが、前記背板４ａの前面左右位置にそれぞれ雄側部材１３ｂが装着されているとともに、前記基台２ａの左右両側面前後位置にそれぞれ雌側部材１４ａが、基台２ａの後面左右位置にそれぞれ雌側部材１４ｂが装着され、前記各雄側部材１３ａと雌側部材１４ａとが、前記雄側部材１３ｂと雌側部材１４ｂとがそれぞれ連結されるようになっている。なお、以下の説明では、雄側部材１３ａ若しくは１３ｂ、又は雌側部材１４ａ若しくは１４ｂを特に区別する必要の無い場合には、雄側部材１３又は雌側部材１４と総称する。
【００３７】
図４は、図１のソファ１に装着された雄側部材１３を示す斜視図であり、図５は、図１のソファ１に装着された雌側部材１４を示す斜視図である。
【００３８】
図４を参照して、前記雄側部材１３は、板状のベース１５と、このベース１５に立設された摺動突起１６と、前記ベースの下部から延出した舌部１７とが一体に形成された合成樹脂の部材である。
【００３９】
前記ベース１５は、表裏に貫き側方へ延びる長孔１５ａを前記摺動突起１６の両側に上下２個ずつ備え、これら長孔１５ａにそれぞれ挿通されたタッピングねじ（図示せず）によって、前記構成部品に装着されるようになっている。
【００４０】
前記摺動突起１６は、前記ベース１５の幅方向略中央位置で上下方向に延びて形成され、その付け根部分から先端向けて先広がり断面形状とされているとともに、その上端部から下端部へ向けて先窄まりとされている。
【００４１】
さらに、前記摺動突起１６は、表裏に貫く孔１６ａを上下一対備えており、これら孔１６ａにそれぞれ挿通されたタッピングねじＢ１（図６参照）によって、前記構成部品に装着されるようになっている。なお、本実施形態では、前記ベース１５に長孔１５ａが形成されているため、雄側部材１３を構成部品に取り付けるのに際し、まず、前記構成部品に大まかに位置決めされた雄側部材１３を前記各長孔１５ａに挿通されたタッピングねじによって構成部品に装着し、相手側の構成部品に装着された雌側部材１４との相対位置に応じて前記長孔１５ａに沿って雄側部材１３と構成部品（タッピングねじ）との位置を微調整することができる。そして、前記微調整の後、前記孔１６ａに挿通されたタッピングねじＢ１によって雄側部材１３と構成部品とを固定することができる。
【００４２】
前記舌部１７は、前記ベース１５の幅方向略中央位置から下方に延びているとともに、当該ベース１５の３分の１程度の幅寸法に設定されている。
【００４３】
また、前記舌部１７は、その途中部で裏面側へ屈折して再び下方へ屈折された段差形状とされており（図６参照）、その表面側の板部１７ａの下端部に係合爪１８が形成されているとともに、その奥側の板部が操作部１９とされている。
【００４４】
前記係合爪１８は、前記舌部１７の幅方向に延びて形成され、前記板部１７ａから表面側へ垂直に立上がる垂直面１８ａと、この垂直面１８ａ先端部から奥側へ向けて下がる傾斜面１８ｂとを備えている。
【００４５】
そして、前記舌部１９は、前記操作部１９を奥側へ押し込むことにより弾性変形して、前記係合爪１８を奥側へ退避させることが可能とされている。
【００４６】
図５を参照して、前記雌側部材１４は、ブロック体２０と、このブロック体の両側面から突出する取付板２１と、前記ブロック体２０に形成された摺動溝２２と、前記ブロック体２０の下部から延出した舌部２３とが一体に形成された合成樹脂の部材である。
【００４７】
前記ブロック体２０は、表裏に貫く孔２０ａを上下一対備えており、これら孔２０ａにそれぞれ挿通されたタッピングねじＢ２（図６参照）によって、前記構成部品に装着されるようになっている。
【００４８】
前記各取付板２１は、表裏に貫き側方へ延びる長孔２１ａを上下２個ずつ備え、これら長孔２１ａにそれぞれ挿通されたタッピングねじ（図示せず）によって、前記構成部品に装着されるようになっている。なお、本実施形態の雌側部材１４は、前記雄側部材１３と同様に前記長孔２１ａと孔２０ａを備えているので、前述した微調整を行った上で、構成部品に装着することができる。
【００４９】
前記摺動溝２２は、表面側に開くとともに上下に延び、その下部が底部２２ａによって閉塞された形状とされている。また、摺動溝２２は、前記雄側部材１３の摺動突起１６に対応して、表面開口側が狭くされた先窄まりの断面形状を有しており、前記摺動突起１６を表面側へ抜け止めした状態で上方から挿入することが可能とされている。
【００５０】
さらに、摺動溝２２は、前記摺動突起１６に対応して、その上端部から下端部へ向けて断面積が小さくなるように先窄まりとされている。したがって、前記摺動突起１６の先窄まりとされた下端部を、広く開口する摺動溝２２の上部から容易に挿入することが可能となる。
【００５１】
前記舌部２３は、前記ブロック体２０の幅方向略中央位置から下方に延びているとともに、その下端部に係合爪２４が形成されている。
【００５２】
この係合爪２４は、前記舌部２３の幅方向に延びて形成され、前記舌部２３から表面側へ垂直に立上がる（舌部２３の端面と連続した）垂直面２４ａと、この垂直面２４ａ先端部から奥側へ向けて上がる傾斜面２４ｂとを備えている。
【００５３】
そして、前記係合爪２４は、前記雄側部材１３の係合爪１８に対応する上下位置に配置されている。すなわち、係合爪２４は、前記摺動突起１６の下端部が摺動溝２２の底部２２ａに当接する深さ位置まで前記雄側部材１３を雌側部材１４にスライドさせた状態（図７参照）で、その垂直面２４ａが係合爪１８の垂直面１８ａに相密着して雄側部材１３を係合することができる位置に設けられている。
【００５４】
以下、前記連結金具５及びロック部材６による構成部品の連結動作について、図６〜図８を参照して説明する。
【００５５】
まず、図６に示すように、組付け対象となる各構成部品を、その雄側金具７と雌側金具８、及び雄側部材１３と雌側部材１４とが相互に対向するように配置する。
【００５６】
次いで、前記摺動溝２２の上方から摺動突起１６を挿入するように、雄側部材１３が装着されている構成部品（図６の右側の構成部品：以下雄側構成部品と称す）を下方にスライドさせ、前記摺動溝２２内に摺動突起１６が挿入された後は、当該摺動溝２２をガイドとして前記雄側構成部品を下降させる。
【００５７】
そして、前記下降に応じて、図７に示すように、前記雄側金具７のクリップ部１０が雌側金具８の受入孔１２ａに下方から挿入されることになる。
【００５８】
また、前記下降の過程においては、前記雄側部材１３の係合爪１８が雌側部材１４の係合爪２４に干渉することになるが、このとき、前記雄側部材１３の舌部１７が構成部品側へ弾性変形することにより、図７に示すように、係合爪１３が係合爪２４を乗り越えることになる。なお、本実施形態では、前記舌部１７を構成部品側に弾性変形させることにより雄側部材１３と雌側部材１４とをロック又は解除するようにしているので、当該舌部１７と構成部品の間には、弾性変形用のスペースＳを設ける必要がある。
【００５９】
そして、前記両係合爪１３、２４が係合した図７の状態においては、両構成部品について、互いに離脱させる方向（上下方向）へのスライドが規制されるため、不意に両構成部品が分離してしまうことを抑制することができる。
【００６０】
さらに、図７の状態では、雄側金具７と雌側金具８との係合によって、両構成部品について、互いに離間する方向（図７における左右方向）への移動が規制され、確実に両構成部材が連結されることになる。
【００６１】
一方、両構成部材を分離させる場合には、図８に示すように、前記操作部１９を弾性変形用のスペースＳ側へ押し込むことにより、係合爪１３を係合爪２４から退避させることができるので、この押込状態で前記雄側構成部品を上方へ持ち上げることにより、図６に示すように、両構成部品を分離させることができる。
【００６２】
以上説明したように、前記ソファ１によれば、構成部品同士を連結する機能と、これら構成部品のスライド位置を組付け状態で規制する機能とを連結金具５とロック部材６とに分離して持たせるようにしているので、双方の機能を単一の部材に持たせる場合に生じる設計的な制限を受けることなく、前記連結金具５に充分な強度を持たせることができる結果、構成部品同士の連結を強固なものとすることができる。
【００６３】
前記ソファ１によれば、受入孔１２ａにクリップ部１０を引掛けるように、各構成部品を相互にスライドさせるといった比較的簡単な操作で各構成部品を連結することができる。
【００６４】
前記ソファ１によれば、摺動溝２２をガイドとして摺動突起１６を摺動させることにより、各構成部品を正規の姿勢（組付け状態）に向けてスライドさせることができるので、使用者が各構成部品の位置決め等に要する手間を軽減することができる。
【００６５】
このとき、前記ソファ１では、前記摺動溝２２を単なるガイドとして利用するのではなく摺動突起１６と係合させることにより、構成部品同士が離間するのを規制するようにしているので、前記摺動突起１６を摺動溝２２に一旦挿入すれば、その後は両構成部品が離間することなく当該両構成部品をスライドさせることができ、より使用者の手間を軽減することができる。
【００６６】
さらに、前記ソファ１によれば、雄側部材１３及び雌側部材１４に係合爪１８、２４を設けるとともに、この係合爪１８を係合爪２４から退避させるように雄側部材１３の舌部１７が弾性変形するようになっているので、構成部品同士のスライド位置のロックを、より簡単な構成で具現化することができる。
【００６７】
なお、前記実施形態では、雄側部材１３及び雌側部材１４の双方に係合爪１８、２４を設けるようにしているが、雄側部材１３、雌側部材１４の何れか一方に相手側の部材に対して係合可能な係合爪を設け、この係合爪が相手側の部材から退避できるように構成してもよい。
【００６８】
また、本実施形態では、ソファを例示して説明したが、前記連結金具５及びロック部材６は、複数の構成部品を有し、組付け状態と分解状態とをとり得るように構成された他の大型家具（例えば、ベッド等）にも好適に採用することができる。
【００６９】
このように、前記連結金具５及びロック部材６を大型家具に採用することにより、当該大型家具の搬送時の形態をコンパクトにすることができる。
【図面の簡単な説明】
【００７０】
【図１】本発明の実施形態に係るソファの（ａ）は組付け状態を示す斜視図、（ｂ）は分解状態を示す斜視図である。
【図２】図１のソファに装着された雄側金具を示す（ａ）は平面図、（ｂ）は側面図、（ｃ）は正面図である。
【図３】図１のソファに装着された雌側金具を示す（ａ）は平面図、（ｂ）は側面図、（ｃ）は正面図である。
【図４】図１のソファに装着された雄側部材を示す斜視図である。
【図５】図１のソファに装着された雌側部材を示す斜視図である。
【図６】図２〜図４に示す連結金具及びロック部材による構成部品同士の連結操作を示す側面断面図であり、連結前の状態である。
【図７】図２〜図４に示す連結金具及びロック部材による構成部品同士の連結操作を示す側面断面図であり、連結後の状態である。
【図８】図２〜図４に示す連結金具及びロック部材による構成部品同士の連結操作を示す側面断面図であり、係合爪を退避させた状態である。
【符号の説明】
【００７１】
１    ソファ
２    座部（構成部品の一例）
３    肘掛（構成部品の一例）
４    背もたれ（構成部品の一例）
５    連結金具
６    ロック部材
７    雄側金具
８    雌側金具
１０    クリップ部（鉤部の一例）
１２ａ    受入孔（受入部の一例）
１３    雄側部材
１４    雌側部材
１６    摺動突起
１８、２４    係合爪
２２    摺動溝
【図１】
0003110454.tif 000003
【図２】
0003110454.tif 000004
【図３】
0003110454.tif 000005
【図４】
0003110454.tif 000006
【図５】
0003110454.tif 000007
【図６】
0003110454.tif 000008
【図７】
0003110454.tif 000009
【図８】
0003110454.tif 000010